(57)【要約】本発明は、ビデオカメラアセンブリ（１）のベルト（１１）のテンショニングのための装置（１２）に関する。装置（１２）は、ベルトテンショナターミナル（１７）と、ベルト（１１）に対してベルトテンショナターミナル（１７）にスラストするようにベルトテンショナターミナル（１７）に動作する弾性的タイプのスラスト要素（１９）とを有する。装置（１２）は、ベルト（１１）に対して、ベルトテンショナターミナル（１７）の調節可能な位置を特定するように構成される調節要素（２４）と、ベルトテンショナターミナル（１７）の位置を制限しない休憩状態と、ベルトテンショナターミナル（１７）の位置を制限する制限状態との間で動作するように構成される少なくとも１つの制限要素（２１）とをさらに有する。調節要素（２４）は、除去可能な方法においてスラスト要素（１９）に動作的に接続されるように構成される。有利なことに、スラスト要素（１９）と調節要素（２４）とは、同一の動作方向を共有し、少なくとも１つの制限要素（２１）はスラスト要素（１９）と調節要素（２４）との動作方向に対して直交する方向に沿って動作するまたは延びる。
2022501552.tif 000002
【特許請求の範囲】
【請求項１】
ビデオカメラアセンブリ（１）のベルト（１１）のテンショニングのための装置（１２）であって、前記装置（１２）は、
前記ベルト（１１）のテンショニングのために、前記ベルト（１１）に接触して動作するように構成されるベルトテンショナターミナル（１７）と、
前記ベルト（１１）に対して前記ベルトテンショナターミナル（１７）をスラストするように前記ベルトテンショナターミナル（１７）に動作する弾性タイプのスラスト要素（１９）と、
前記ベルト（１１）に対して、前記ベルトテンショナターミナル（１７）の調節可能な位置を特定するように構成される調節要素（２４）と、
前記ベルトテンショナターミナル（１７）の位置を制限しない休憩状態と、前記ベルトテンショナターミナル（１７）の位置を制限する制限状態との間で動作するように構成される少なくとも１つの制限要素（２１）と、
を備え、
前記調節要素（２４）は、除去可能な方法において前記スラスト要素（１９）に接続されるように構成され、
前記スラスト要素（１９）と前記調節要素（２４）とは、同一の動作方向を共有し、
前記少なくとも１つの制限時要素（２１）は、前記スラスト要素（１９）と前記調節要素（２４）との前記動作方向に直交する方向に沿って動作するまたは延びる、装置（１２）。
【請求項２】
前記スラスト要素（１９）を収容する本体（２０）をさらに有し、
前記本体（２０）の移動は、前記ベルト（１１）に前記ベルトテンショナターミナル（１７）がスラストするスラストを調節し、
前記調節要素（２４）は、前記ベルトテンショナターミナル（１７）が前記ベルト（１１）に負荷するスラスト強度を調節するように、前記本体（２０）を移動させるように構成され、
前記少なくとも１つの制限要素（２１）は、前記本体（２０）に係合され、
前記少なくとも１つの制限要素（２１）は、前記休憩状態において前記本体（２０）の移動を可能にし、前記制限状態において前記本体（２０）の安定した位置を特定し、前記本体（２０）の移動を抑制する、請求項１に記載の装置（１２）。
【請求項３】
フレーム（１３）をさらに有し、
前記少なくとも１つの制限要素（２１）は、前記フレーム（１３）に係合され、
前記休憩状態において、前記少なくとも１つの制限要素（２１）は、前記フレーム（１３）に対して前記本体（２０）の移動を可能にし、よって、前記スラスト要素（１９）の位置を制限せず、
前記制限状態において、前記少なくとも１つの制限要素（２１）は、前記フレーム（１３）に対して前記本体（２０）の位置を固定にし、よって、前記スラスト要素（１９）の安定した位置を特定する、請求項２に記載の装置（１２）。
【請求項４】
前記フレーム（１３）は、前記少なくとも１つの制限要素（２１）のための少なくとも１つのガイド（１５）を有し、
前記ガイド（１５）は、前記少なくとも１つの制限要素（２１）の前記休憩状態において前記少なくとも１つの制限要素（２１）の移動を可能にするように構成され、
前記少なくとも１つ制限要素（２１）は、前記ガイド（１５）において、少なくとも部分的に収容される、請求項３に記載の装置（１２）。
【請求項５】
前記フレーム（１３）は、前記本体（２０）に対して前面的に延びる部分（１３ｂ）を有し、
前記部分（１３ｂ）は、少なくとも１つのシート（１６ａ）を有して、
動作状態において、前記調節要素（２４）は、前記シート（１６ａ）に収容され、
前記シートは、前記調節要素（２４）の動作方向に対して実質的に同軸上の貫通孔（１６ａ）を選択的に有する、請求項３または４に記載の装置（１２）。
【請求項６】
前記本体（２０）に係合される調節部分（２３）をさらに有し、
前記スラスト要素（１９）は前記調節部分（２３）に係合され、
前記調節要素（２４）は、前記スラスト要素（１９）上で動作するように前記調節部分（２３）に対して除去可能な方法において係合されるように構成され、
前記スラスト要素（１９）は、前記調節部分（２３）から前記調節要素（２４）の脱離に続き、前記スラスト要素（１９）の部分的弾性スプリングバックによって、前記調節部分（２３）の自由端と前記本体（２０）との間に隙間（２５）を形成するように構成される、請求項２から５のいずれか一項に記載の装置（１２）。
【請求項７】
前記シート（１６ａ）は、前記調節部分（２３）と同軸上に位置され、前記調節部分（２３）に向かって方向付けるための前記調節（２４）に協働するように構成される、請求項５または６に記載の装置（１２）。
【請求項８】
前記調節要素（２４）は、前記調節部分（２３）と接触するように構成されるステム（２４ｂ）を有し、
前記シート（１６ａ）は、前記ステム（２４ｂ）を貫通する方法で受けるように適し、前記調節要素（２４）のステム（２４ｂ）のための支持として機能する、請求項７に記載の装置（１２）。
【請求項９】
前記調節要素（２４）は、動作的部分（２４ａ）を有し、
前記動作的部分（２４ａ）は、断面において、前記シート（１６ａ）内の前記調節要素（２４）の最大挿入の状態において、前記フレーム（１３）の前記部分（１３ｂ）と接触するように、前記シート（１６ａ）の自由通過面積より大きい全体寸法を有する、請求項８に記載の装置（１２）。
【請求項１０】
前記調節要素（２４）は、ボルト、ネジ、釘の内１つを有する、請求項８または９に記載の装置（１２）。
【請求項１１】
ビデオカメラハウジング本体（３）と、
前記ビデオカメラハウジング本体（３）に収容されるビデオカメラ（７）と、
前記モータ（１０）と、
前記モータ（１０）に係合され、回転動作を伝達するように構成されるベルト（１１）と、
前記ベルト（１１）のテンショニングのための請求項１から１０のいずれか一項に記載の前記装置（１２）と、
を備えた、ビデオカメラアセンブリ（１）。
【請求項１２】
前記装置（１２）を収容する箱状本体（２）をさらに有し、
前記ビデオカメラハウジング本体（３）は、前記箱状本体（２）の第１部分（４ａ）に回転可能に係合され、
前記ベルト（１１）は、少なくとも前記ビデオカメラアセンブリ（１）の動作状態において、前記箱状本体（２）の第２部分（４ｂ）に対して、前記第１部分（４ａ）と前記ビデオカメラハウジング本体（３）との回転を可能にするように構成されるパワー伝達ベルトである、請求項１１に記載のビデオカメラアセンブリ（１）。
【請求項１３】
ビデオカメラアセンブリ（１）のベルト（１１）のテンショニング方法であって、
請求項１１または１２に記載のビデオカメラアセンブリ（１）のベルト（１１）を設けることと、
スラスト要素（１９）及び調節要素（２４）が同一の動作方向を共有し、弾性タイプの前記スラスト要素（１９）によって、前記ベルト（１１）のテンショニングのために、前記ベルト（１１）に対してベルトテンショナターミナル（１７）をスラストすることと、
前記調節要素（２４）によって、前記ベルトテンショナターミナル（１７）が前記ベルト（１１）に負荷するスラスト強度を調節することと、
前記スラスト要素（１９）及び前記調節要素（２４）の前記動作方向に対して直交する方向に沿って動作するまたは延びる少なくとも１つの制限要素（２１）によって、前記ベルトテンショナターミナル（１７）を、前記ベルト（１１）の望ましい張力に対応する前記ベルトテンショナターミナル（１７）の望ましい位置に制限することと、
前記スラスト要素（１９）から前記調節要素（２４）を断絶することと、
を少なくとも有する、方法。
【請求項１４】
前記ベルトテンショナターミナル（１７）が前記ベルト（１１）に負荷するスラスト強度を調節することは、前記ベルトテンショナターミナル（１７）を移動し、前記スラスト要素（１９）を収容する本体（２０）を移動させることを有する、請求項１３に記載の方法。
【請求項１５】
前記ベルトテンショナターミナル（１７）を望ましい位置に制限することは、例えば、フレーム（１３）に対して、前記スラスト要素（１９）及び／または前記本体（２０）の位置を制限することを有する、請求項１３または１４に記載の方法。
【請求項１６】
前記ベルト（１１）の張力の調節を可能にするように前記ベルトテンショナターミナル（１７）を開放するステップをさらに有する、請求項１３から１５のいずれか一項に記載の方法。
【請求項１７】
前記ベルトテンショナターミナル（１７）が前記ベルト（１１）に負荷するスラスト強度を調節することは、調節部分（２３）において前記調節要素（２４）を用いて動作することを有し、
前記スラスト要素（１９）から前記調節要素（２４）を動作的に断絶することは、前記調節部分（２３）から前記調節要素（２４）を脱離させることを有し、
前記スラスト要素（１９）の部分的弾性スプリングバックによって、前記調節部分（２３）の自由端と前記スラスト要素（１９）を収容する本体（２０）との間に隙間（２５）を形成するステップをさらに有し、
前記隙間（２５）を形成する前記ステップは、前記調節部分（２３）から前記調節要素（２４）を脱離させるステップの後である、請求項１３から１６のいずれか一項に記載の方法。
【発明の詳細な説明】
【技術分野】
【０００１】
本発明は、例えば、ビデオ監視の分野において使用できるビデオカメラの分野に関する。本発明は、特に、ビデオカメラアセンブリのベルトのテンショニング（tensioning）のための装置、及びビデオカメラアセンブリのベルトのテンショニング方法に関する。
【背景技術】
【０００２】
ビデオカメラアセンブリのベルトのテンショニングシステムは知られている。
【０００３】
ビデオカメラアセンブリのベルトのテンショニングシステムは、中国実用新案のＣＮ２０７４４３０２２Ｕによって提供される。ＣＮ２０７４４３０２２Ｕは、ドライブプーリによって回転し、ビデオカメラに関連するアイドルプーリに係合されるベルトを有するビデオカメラが向く角度を調節するための装置に関する。ベルトは、２つのベルトテンショナ（tensioner）プーリを設けるベルトテンショニングシステムによって、張力が加わった状態を維持する。テンショニングシステムは、プーリ及び圧縮バネに基づいた自動テンショニング機構に関連するベルトテンショナプーリを設けている。バネは、一端において、固定要素に関連し、他端において、プーリのケーブルの端部に関連し、ベルトテンショナプーリの支点（fulcrum）はケーブルの反対側の端部に係合される。
【０００４】
中国実用新案のＣＮ２０７４４３０２２Ｕにおけるベルトテンショニングシステムは、その動作中において、バネが、ベルトに張力が加わった状態を維持することを可能にすると説明する。しかしながら、このようなベルトテンショニングシステムは、ベルトに張力を加える負担がバネに完全に伝達されるため、ベルトの対象に正確に張力を負荷することができない。
【０００５】
上記に加えて、中国実用新案のＣＮ２０７４４３０２２Ｕにおけるベルトテンショニングシステムは、組み立てすると、修正できない剛性を有する構造を有する。システムの自動的な修正が伝達される唯一の部材はバネであり、バネの弾性は、ベルトにおける緩み得る全ての場合及び対象に対応できない。例えば、ベルトが著しく緩むと、バネの弾性は、ベルトに適当な張力を加えるために十分でない可能性がある。この場合、プーリに対するベルトの圧力、また、圧力にしたがって摩擦が減少され、よって、プーリに対するベルトの頻繁な滑りが発生し、滑りは、ベルトによる動作の伝達を影響し、よって、動作伝達システムの全体の機能性を阻害する。
【０００６】
さらに、中国実用新案のＣＮ２０７４４３０２２Ｕにおけるベルトテンショニングシステムは、ビデオカメラアセンブリにおいて実施することにおいて、かさばり、複雑である。
【０００７】
米国特許のＵＳ９１０６８１８Ｂ２より、他のベルトテンショニングシステムが知られている。これは、可動のビデオカメラを有するディスプレイを開示する。ディスプレイは、傾き方向においてビデオカメラを回転する動作伝達システムを有する。このようなシステムは、２つのプーリの間に締められたベルトを有する。さらに、テンションアームを設けるベルトテンショナアセンブリ（belt tensioner assembly）が設けられ、テンションアームは、ディスプレイの内側壁に取り付けられた支持部に滑りながら係合され、ベルトに向かって突出する。テンションアームと支持部との間に挿入されるバネも、ベルトに向かってテンションアームをスラスト（thrust）するように設けられている。
【０００８】
しかしながら、米国特許のＵＳ９１０６８１８Ｂ２におけるベルトテンショニングシステムも欠点を有する。例えば、このようなベルトテンショニングシステムは、ベルトに張力を加える負担がバネに完全に伝達されるため、ベルトに精密な大きさの張力を負荷することができない。
【０００９】
さらに、組み立てすると、上述のベルトテンショナアセンブリは、バネの弾性に完全に基づくベルトテンショナアセンブリの動作状態の自動的な修正を除き、発生し得るベルトの著しい緩みに対応するように修正できない。本質において、ベルトに張力を加える負担は完全にバネに伝達され、上述のように、バネはベルトの緩みの発生し得る全ての場合及び大きさに対応できない。よって、米国特許ＵＳの９１０６８１８Ｂ２におけるベルトテンショニングアセンブリは、最適な方法において、ベルトの著しい緩みに対応することに適していない。
【００１０】
上記を参照して、ビデオカメラアセンブリのベルトに張力を加える既知のシステムは、ベルトに張力を加える負担は完全にバネに伝達されるため、ベルトに正確な張力を負荷することができない。
【００１１】
ビデオカメラアセンブリのベルトに張力を加える既知のシステムは、したがって、ベルト自体、及び、よってビデオカメラアセンブリ全体の動作のために、ベルトの寿命において、最適な張力状態を維持することができない。
【発明の概要】
【発明が解決しようとする課題】
【００１２】
本発明の目的は、先行技術の欠点を克服することである。
【００１３】
本発明の目的は、特に、ベルトの正確な及び信頼性の高いテンショニングを保証するビデオカメラアセンブリのベルトのテンショニング用装置を提供することである。
【００１４】
本発明の目的は、ビデオカメラアセンブリのベルトのテンショニングのための装置を設け、例えば、ベルトが緩むと、簡単及び正確な方法で、ベルトの張力を調節することを可能にする。
【００１５】
本発明の目的は、ビデオカメラアセンブリの組立ステップ及びビデオカメラアセンブリのテンショニングの調節フェーズの両方において、正確な、信頼性が高く、及び調節可能な方法において、ベルトのテンショニングを可能にするビデオカメラアセンブリを提供することであり、これは、ベルトの使用の後のベルトの緩みによって必要になり得る。
【００１６】
さらに、本発明のさらなる目的は、ベルトの張力の正確な及び信頼性が高い調節を可能にするビデオカメラアセンブリを提供することにある。
【００１７】
さらに、本発明のさらなる目的は、簡単な及び信頼性が高い方法で、ベルトの張力を調節することを可能にするビデオカメラアセンブリのベルトのテンショニング方法を提供することにある。
【００１８】
ベルトが緩むと行われるベルトの交換または複雑なメンテナンス作業を回避することも、本発明の目的である。
【００１９】
本発明のこれらの及び他の目的は、添付された請求項の特徴を含むビデオカメラアセンブリのベルトのテンショニング用の装置、ビデオカメラアセンブリ、及びビデオカメラアセンブリのベルトのテンショニング方法によって実現され、本説明の統合的な部分を形成する。さらに、本発明は、個別にまたはそれらのいずれかの組み合わせにおいて考慮されてもよい、本明細書にて以下で説明する技術的特徴と一致してもよい。
【００２０】
ある実施の形態において、ビデオカメラアセンブリのベルトのテンショニングのための装置が設けられている。装置は、ベルトに張力を加えるようにベルトと接触して動作されるように構成されるベルトテンショナターミナルを有する。装置は、ベルトに対してベルトテンショナターミナルをスラストするようにベルトテンショナターミナル上に動作するスラスト要素をさらに有する。望ましくは、スラスト要素は、弾性タイプである。装置は、ベルトに対して、ベルトテンショナターミナルの調節可能な位置を特定するように構成される調節要素をさらに有する。装置は、ベルトテンショナターミナルの位置を制限しない休憩（rest）状態と、ある位置においてベルトテンショナターミナルを制限する制限状態との間に動作するように構成される少なくとも１つの制限要素をさらに有する。望ましくは、調節要素は、除去可能な方法において、スラスト要素に動作的に接続されるように構成される。スラスト要素及び調節要素は、同一の動作方向を共有する。少なくとも１つの制限要素は、スラスト要素及び調節要素の動作方向に直交する方向に沿って動作するまたは延びる。
【００２１】
このような技術的解決策によって、装置は、ベルトの張力の調節を可能にする。本質において、装置は、ベルトのテンショニング要求、及び時間によるその変化に対して、柔軟に対応する。したがって、装置は、時間経過時、及びベルトのテンショニング要求によって複数回締められまたは緩められる制限要素の第１締めの後において、ベルトの張力の調節を可能にする点で、柔軟である（厳格でない）。さらに、このように直交するまたは実質的に直交する動作方向を設けることは、最適及びコンパクトな動作的構成を設けることを可能にする。本質において、このような技術的解決策は、ビデオカメラアセンブリの箱状本体において使用可能な限定的な空間内に収容されてもよいコンパクトな装置を設けることを可能にする。
【００２２】
有利なことに、ベルトの張力を調節できることによって、ベルトが緩む場合における交換を回避する。本質において、ベルトが少し緩むと、交換する必要はなく、スラスト要素は、その弾性力によってベルトに対してベルトテンショナターミナルをスラストすることによって、ベルトの少しの緩みに対応できる。一方で、ベルトが著しく緩む場合においても、交換する必要はなく、装置によってベルトに張力を加える。
【００２３】
さらに、簡単な方法によってベルトのテンショニングの実行を可能にすることによって、上記の技術的解決策は、ビデオカメラアセンブリの使用者によるベルトの張力の調整を可能にする。このように、修理のためにビデオカメラを戻すことが有利に回避され、よって、ベルトのテンショニングが必要な場合におけるビデオカメラアセンブリの停止時間（ビデオカメラアセンブリが動作していない時間）を減少させる。
【００２４】
まとめると、ベルトが緩むと、調節要素を作動させることによって、簡単な方法で、再度締められてもよい。したがって、ベルトが緩むと、ベルトを交換すること、または修理のためにビデオカメラアセンブリをリコールすることは必要でない。
【００２５】
さらなる利点は、除去可能な方法において調節要素を脱離させることができるため、調節要素は、装置自体とともに配置または保管されてもよい。例えば、必要なときに、調節要素を使用の準備がされた状態にするように、装置のフレームまたはビデオカメラアセンブリの箱状本体に形成される便利なシートに配置されてもよい。
【００２６】
装置は、有利なことに、ビデオカメラアセンブリの初期組立ステップ、及び、例えば、その動作に続いて時間経過によって、ベルトが緩んで、ベルトに再度張力を加える必要がある等の後続のステップの両方において、ベルトの張力を調節することを可能にする。したがって、装置は、ビデオカメラアセンブリの組立ステップにおいてベルトのテンションの正確な初期特定と、例えば、ベルトの緩みによって必要になり得るベルトの張力の正確な後続調節との両方を可能にする。
【００２７】
ある実施の形態において、装置は、スラスト要素を収容する本体をさらに有する。本体の移動は、ベルト上のベルトテンショナターミナルのスラストによってスラストを調節する。調節要素は、ベルトテンショナターミナルがベルトに負荷するスラスト強度を調節するように、本体を移動させるように構成される。制限要素は本体に係合される。制限要素は、休憩状態において、本体の移動を可能にし、制限状態における本体の安定的な位置を特定し、よって、本体の移動を抑制する。
【００２８】
有利なことに、スラスト要素を収容する本体を設けることによって、装置に丈夫な構造を与え、スラスト要素を保護することも可能にする。
【００２９】
さらに、このような解決策のさらなる利点は、本体が、調節要素が簡単な及び効果的な方法においてスラスト要素に動作することを可能にする。
【００３０】
このような技術的解決によって、スラスト要素は係合され、即ち、調節要素がスラスト要素から動作的に断絶しているときのみ、ベルトに対して、ベルトテンショナターミナルの位置を調節するようにその弾性スラストを負荷する。
【００３１】
ある実施の形態において、装置はフレームをさらに有する。制限要素は、フレームに係合される。制限要素は、休憩状態におけるフレームに対して本体の移動を可能にして、よって、スラスト要素の位置を制限しない。制限要素は、制限状態におけるフレームに対して、本体をある位置に固定し、よって、スラスト要素の安定的な位置を特定する。
【００３２】
フレームは、有利なことに、装置に丈夫な構造を与え、装置が少なくとも部分的に構造的に支持されることを可能にする。
【００３３】
有利なことに、フレームを設けることは、制限要素の係合も可能にし、制限要素によって本体の制限を可能にする。
【００３４】
ある実施の形態において、フレームは少なくとも１つの制限要素のための少なくとも１つのガイドを有する。ガイドは、少なくとも１つの制限要素の休憩状態における制限要素の移動を可能にするように構成される。制限要素は、ガイドにおいて、少なくとも部分的に収容される。
【００３５】
有利に、ガイドは隣接部分を設けて、隣接部分に沿って、休憩状態における本体と統合的である制限要素は、調節要素による調節の間、滑ることができる。
【００３６】
ある実施の形態において、フレームは、本体に対して、前面的に延びる部分を有する。部分は少なくとも１つのシートを有する。調節要素は、動作状態（または調節状態）において、シートに収容される。選択的に、シートは、調節要素の動作方向に対して、実質的に同軸上である貫通孔を有する。部分は選択的にフレームの側壁を有する。
【００３７】
有利なことに、シートは、本体上で正しく動作するように、本体に対して調節要素を方向付けることを可能にする隣接部分として機能する。
【００３８】
ある実施の形態において、装置は、本体に係合される調節部分をさらに有する。スラスト要素は調節部分に係合される。調節要素はスラスト要素上で動作するように除去可能な方法で、調節部分に係合されるように構成される。スラスト要素は、調節部分から調節要素の脱離に続いてスラスト要素の部分的弾性スプリングバック（springback）によって、調節部分と本体との間で隙間を形成するように構成される。隙間は、望ましくは、調節部分と本体との対向する表面の間で規定されることが望ましい。
【００３９】
有利なことに、隙間は、動作状態における装置にベルトが伝達するひずみまたは応力に、例えば、吸収及び／または減衰させることによって、対処することを可能にする。特に、隙間は、ベルトテンショナターミナル上のスラスト要素のスラストの自動調節を特定するように適合されるクリアランスを設けて、よって、ベルト自体の可能な緩みにおいて、ベルトの張力を一定に維持することを実質的に可能にする。
【００４０】
ある実施の形態において、シートは、隣接部分と同軸上に配置され、調節部分に向かって調節要素と協働するように構成される。
【００４１】
このように、特定の工具の必要なく、極めて簡単な方法で、調節要素をガイドすることができる。
【００４２】
ある実施の形態において、調節要素は、調節部分と接触するように構成されるステムを有する。さらに、シートは、貫通した方法でステムを受けるように適合され、調節要素のステムのための支持部として機能する。
【００４３】
このように、簡単な及び信頼性の高い方法において、調節部分と接触して引き延ばし形状を有する構成要素をガイドすることは可能である。
【００４４】
望ましくは、調節要素は、動作部分をさらに有し、動作部分は、シートへの調節要素の最大挿入の状態において、フレームの部分と接触するように、シートの自由通過面積より大きい断面における全体寸法を有する。
【００４５】
この解決策によって、ベルトのテンショニングのための装置に許容される最大張力を規定することができる。
【００４６】
調節要素は、ボルト、ネジ、及び釘の内１つを有する。
【００４７】
言い換えると、調節要素は、作成及び使用することが特に簡単な機械要素によって取得されてもよい。
【００４８】
ある実施の形態において、ベルトテンショナターミナルは、ボールベアリング等、少なくとも１つの回転支持要素を有する。ベルトテンショナターミナルは、望ましくは、例えば、２つのボールベアリング等の２つの回転支持要素を有する。
【００４９】
ベルトテンショナターミナルにおいて、回転支持要素を設けることは、ベルトが最適な方法において動作することを可能にし、例えば、回転においてベルトが引きずる要素の最適な回転を可能にする。
【００５０】
ある実施の形態において、フレームは、本体に対して前面的に配置される部分を有する。部分は少なくとも１つのシートを有する。隣接要素は、休憩状態において、シートに収容される。選択的に、シートは貫通シートである。部分は選択的にフレームの側壁を有する。
【００５１】
フレームに調節要素のためのシートを設けることは、不使用時において、調節要素を戻すことを可能にする。必要なときに、調節要素は、使用の準備がされた状態にある。ベルトテンショニング動作は、このように加速及び簡素化される。
【００５２】
ある実施の形態において、本体は、フレームに対して、滑る部分を有する。フレームは、ガイドを有し、ガイドにおいて、フレームに対して、並進移動をするように構成される滑り部分を有する。
【００５３】
ガイドは、有利なことに、フレームに対してベルトに近位に及び遠位に、本体の並進移動を正確に方向付けることを可能にする。
【００５４】
ある実施の形態において、ベルトテンショナターミナルは、接触面またはスラスト表面を有する。
【００５５】
ある実施の形態において、接触面またはスラスト面は、実質的に、ベルトに張力を加えるように、ベルトにある圧力を負荷するようにベルトと接触して動作するように構成される圧力表面である。
【００５６】
ある実施の形態において、調節要素がスラスト要素から動作的に断絶される状態において、スラスト要素は、弾性力によってベルトの生じ得る緩みに対処するように構成される。
【００５７】
有利なことに、スラスト要素は、ベルトの軽度の緩みにおいて、ベルトの張力を、弾性力によって、自動的に調整することを可能にする。
【００５８】
ある実施の形態において、調節要素がスラスト要素から動作的に断絶される状態において、スラスト要素は、ベルトの緩みによるクリアランスを回復させるように構成される。
【００５９】
有利なことに、ベルトの緩みによるクリアランスを回復することによって、スラスト要素は、ベルトの軽度の緩みにおいてベルトの張力を自動的に調節する。
【００６０】
ある実施の形態において、調節要素は、スラスト要素に動作的に接続され、その上で調節を行うように動作する調節状態と、スラスト要素に動作的に接続されていない休憩状態との間で動作するように構成される。
【００６１】
ある実施の形態において、ベルトテンショナターミナルは、本体と並進移動において統合的である。
【００６２】
ある実施の形態において、ベルトテンショナターミナルは回転のために構成される。
【００６３】
ある実施の形態において、ベルトは、ベルトテンショナターミナルを回転するように構成される。
【００６４】
ある実施の形態において、弾性スラスト要素は、負荷される応力に弾性的に反応できるスラスト要素を意味する。
【００６５】
ある実施の形態において、弾性的なスラスト要素は、弾性変形可能なスラスト要素を意味する。
【００６６】
本発明の異なる態様は、例えば、ビデオカメラアセンブリの組立の分野において、ビデオカメラアセンブリのベルトのテンショニングのための装置の使用に関する。
【００６７】
本発明の異なる態様は、例えば、ベルトの緩みに続くビデオカメラアセンブリのベルトのテンショニングを調節するための装置の使用に関する。
【００６８】
本発明の異なる態様は、ビデオカメラハウジング本体、ビデオカメラハウジング本体に収容されるビデオカメラ、モータ、及びモータに係合され、回転移動を伝達するように構成されるベルトを備えるビデオカメラアセンブリに関する。ビデオカメラアセンブリは、上記で説明するように及び／または添付される請求項のいずれか一項によるベルトのテンショニングのための装置をさらに有する。
【００６９】
有利なことに、ベルトのテンショニングのためのコンパクトな装置が設けられるビデオカメラアセンブリは、複雑な専用工具の使用を要せずに、調節要素を用いて、ベルトの調節を可能にする。ビデオカメラアセンブリは、例えば、使用者のために、ベルトの張力の調節動作を簡素化及び加速する調節要素とともに、設けられてもよい。
【００７０】
ビデオカメラアセンブリは、有利なことに、ビデオカメラアセンブリの初期組立ステップと、ビデオカメラアセンブリの動作に続き、ベルトが緩み、再度ベルトに張力を加える必要がある場合等の後続のステップとの両方において、ベルトの張力の調節を可能にする。このように、ビデオカメラアセンブリは、ビデオカメラアセンブリの組立ステップにおいてベルトの張力の正確な初期特定と、例えば、ベルトの緩みに続いて、必要になり得るベルトの張力の後続の調節との両方を可能にする。
【００７１】
有利なことに、ビデオカメラアセンブリは、スラスト要素によって、ベルトの軽度の緩みにおいて、ベルトの張力を自動的に調節する。スラスト要素は、その弾性力によって、ベルトの軽度の緩みにおいて、ベルトの張力の自動的な調節を可能にする。
【００７２】
ビデオカメラアセンブリは、メンテナンス作業または補助の対象となりにくい。必要となる場合、メンテナンス作業または補助は、調節要素の単なる動作により、ベルトの張力を調節する可能性によって、より早く、簡単である。さらに、メンテナンス作業または補助は、ビデオカメラアセンブリの使用者がベルトに張力を加えることができるため、必要ないかもしれない。
【００７３】
ある実施の形態において、アセンブリは、装置を収容する箱状本体をさらに有する。ビデオカメラハウジング本体は、回転可能に箱状本体の第１部分に係合される。ベルトは、ビデオカメラアセンブリの少なくとも１つの動作状態において、箱状本体の第２部分に対して、箱状本体の第１部分とビデオカメラハウジング本体との回転を可能にするように構成されるパワー伝達ベルトである。
【００７４】
有利なことに、箱状本体に対してビデオカメラハウジング本体の回転を可能にするように構成されるベルトのテンショニングのための装置が設けられるアセンブリを設けることは、時間経過後において、ベルトの最適な張力を維持することを可能にし、ビデオカメラが箱状本体に対して回転することをもたらす。このようなベルトの最適な張力は、ビデオカメラの正確な移動及び配置を可能にして、よって、時間経過後において、ビデオカメラアセンブリの動作状態及び信頼性を最適化する。
【００７５】
本発明の異なる態様は、環境のビデオ監視の分野におけるビデオカメラアセンブリの使用に関する。
【００７６】
本発明の異なる態様は、ビデオカメラアセンブリのベルトのテンショニング方法に関し、上述の実施の形態の１つに係るビデオカメラアセンブリのベルトを設ける工程を少なくとも有し、ベルトに張力を加えるようにベルトに対してベルトテンショナターミナルを、弾性タイプのスラスト要素によって、スラストすることと、調節要素によってベルトテンショナターミナルがベルトに負荷するスラスト強度を調節することと、スラスト要素及び調節要素の動作方向に直交する方向に沿って動作または延びる制限要素によって、ベルトの望ましい張力に対応するベルトテンショナターミナルの望ましい位置にベルトテンショナターミナルを制限することと、スラスト要素から調節要素を動作的に断絶させることとを有する。
【００７７】
説明する方法によると、ベルトのテンショニングは、有利なことに、簡単な、速い、及び効率的な方法において実施されてもよい。さらに、ベルトの張力は、システムの初期カリブレーションに続いて１回または複数回調節されてもよい。
【００７８】
本方法の他の利点は、ビデオカメラアセンブリの初期組立ステップと、例えば、ベルトの動作に続きベルトが緩み、再度ベルトに張力を加える必要がある場合等、後続のステップとの両方において、ベルトの張力の調整を可能にする。このように、本方法は、ビデオカメラアセンブリの組立ステップにおけるベルトの張力の正確な初期特定と、例えば、ベルトの緩みに続いて、必要となり得るベルトの張力の後続の調節との両方を可能にする。
【００７９】
さらなる利点は、ベルトが緩むと、再度締めることが可能であることからなる。したがって、ベルトが緩むと、ベルトを交換することまたは修理のためにビデオカメラアセンブリを戻す必要がない。
【００８０】
ベルトの張力調節方法の簡単さによって、方法は、ビデオカメラアセンブリの使用者によっても、簡単及び速い方法で実施されてもよい。これは、ビデオカメラアセンブリに対して、専用の作業者によるメンテナンス作業を回避する。
【００８１】
有利なことに、除去可能な方法において調節要素を脱離させることができることで、調節要素は、ビデオカメラアセンブリの箱状本体の便利なシート、またはその箱状本体に配置されてもよく、よって、必要なときに調節要素は使用の準備がされた状態にある。
【００８２】
ある実施の形態において、ベルトに対してベルトテンショナターミナルが負荷するスラスト強度を調節することは、ベルトテンショナターミナルを移動すること、及びスラスト要素を収容する本体を移動することを有する。
【００８３】
有利なことに、本体は、スラスト要素の支持及び保護を可能にする。
【００８４】
本体は、調節要素が、簡単及び効果的な方法においてスラスト要素上で動作することを可能にする。
【００８５】
ある実施の形態において、望ましい位置にベルトテンショナターミナルを制限することは、例えば、フレームに対して、スラスト要素及び／または本体の位置を制限することを有する。
【００８６】
有利なことに、スラスト要素の位置を制限することは、その自由な変形を抑制し、例えば、フレームに対して、スラスト要素及び本体の望ましい配置を可能にする。さらに、スラスト要素の位置は、弾性要素の部分的な弾性スプリングバックに続いて、安定している。
【００８７】
本体の位置を制限することは、スラスト要素の配置上の制限を決定する。
【００８８】
ある実施の形態において、方法はさらに、ベルトの張力の調節を可能にするように、ベルトテンショナターミナルを開放するステップをさらに有する。
【００８９】
有利なことに、ベルトテンショナターミナルを開放することによって、方法は、例えば、ベルトの緩みに続いて必要になり得るベルトの張力の調節の両方を可能にする。
【００９０】
ある実施の形態において、ベルトテンショナターミナルがベルトに負荷するスラスト強度を調節することは、調節部分において調節要素と動作することを有する。スラスト要素から調節要素を動作的に断絶させることは、調節部分から調節要素を脱離させることを有する。方法は、スラスト要素の部分的弾性スプリングバックによって、調節部分とスラスト要素を収容する本体との間に隙間を形成するステップをさらに有する。隙間を形成するステップは、調節部分から調節要素の脱離のステップに続く。
【００９１】
有利なことに、隙間は、例えば、吸収及び／または減衰させることによって、動作状態において、ベルトが装置に伝達するひずみまたは応力に対処することを可能にする。
【００９２】
ある実施の形態において、隙間を形成するステップは、隙間を自動的に形成することを有する。望ましくは、隙間の自動的な形成は、調節部分からの調節要素の脱離ステップに続く。
【００９３】
有利なことに、隙間の形成は、設定できないとの意味では、自動的なステップである。隙間の形成は、スラスト要素の弾性力により、調節部分から調節要素の脱離に続く。本質において、調節部分から調節要素を脱離させることによって、スラスト要素は変形されてもよく、隙間の形成を自動的に特定する部分的弾性スプリングバックの対象となる。
【００９４】
ある実施の形態において、ビデオカメラアセンブリのベルトを設けることは、ビデオカメラアセンブリを設けることを有する。
【００９５】
ある実施の形態において、ビデオカメラアセンブリのベルトを設けることは、ビデオカメラアセンブリのベルトのテンショニングのための装置を有するビデオカメラアセンブリを設けることを有する。
【００９６】
ある実施の形態において、方法はさらに、ビデオカメラアセンブリのベルトのテンショニングのための装置を設けるステップをさらに有する。
【００９７】
ある実施の形態において、方法は、望ましくは、ベルトテンショナターミナルの接触面において、ベルトに接触したベルトテンショナターミナルを配置するステップを有する。
【００９８】
ある実施の形態において、ベルトの張力の調節を可能にするため、ベルトテンショナターミナルを開放するステップは、ベルトを設けるステップに続いて、及びスラスト要素がベルトに対してベルトテンショナターミナルをスラストするステップの前に、実行される。
【００９９】
本発明の異なる態様は、ビデオカメラアセンブリのベルトのテンショニングの調節のための方法に関し、制限要素を脱離されるステップ、調節要素によってベルトの張力を調節するステップ、及び再度制限要素を係合させるステップを有する。
【０１００】
本発明のさらなる特徴及び目的は、後続の説明によって、より明確になる。
【０１０１】
本発明は、非限定的例示によって提供され、添付の図面に図示される特定の例示を参照して、以下明細書にて説明される。これらの図面は、本発明の異なる態様及び実施の形態を図示し、構造、要素、材料、及び／または類似の要素を示す参照符号は、適切な場合において、類似の参照符号によって示される。
【図面の簡単な説明】
【０１０２】
【図１】本発明の実施の形態に係るビデオカメラアセンブリの斜視図である。
【図２】本発明の実施の形態に係るビデオカメラアセンブリの側面図である。
【図３】ビデオカメラアセンブリのベルトのテンショニング方法のステップの範囲内にあるビデオカメラアセンブリのベルトのテンショニングのための装置を示す。図示される装置及び方法の両方は、本発明の実施の形態に係る。
【図４】ビデオカメラアセンブリのベルトのテンショニング方法のステップの範囲内にあるビデオカメラアセンブリのベルトのテンショニングのための装置を示す。図示される装置及び方法の両方は、本発明の実施の形態に係る。
【図５】ビデオカメラアセンブリのベルトのテンショニング方法のステップの範囲内にあるビデオカメラアセンブリのベルトのテンショニングのための装置を示す。図示される装置及び方法の両方は、本発明の実施の形態に係る。
【図６】ビデオカメラアセンブリのベルトのテンショニング方法のステップの範囲内にあるビデオカメラアセンブリのベルトのテンショニングのための装置を示す。図示される装置及び方法の両方は、本発明の実施の形態に係る。
【発明を実施するための形態】
【０１０３】
本発明は、様々な改造及び代替的な構造に影響される一方、特定の望ましい実施の形態は、図面に示され、下記明細書にて詳細に説明される。いずれの場合も、本発明を図示される特定の実施の形態に限定する意図がないことに注意し、逆に、本発明は、請求項に定義される本発明の範囲内である全ての改造、代替的及び同等な構造を網羅することを意図する。
【０１０４】
「例えば」、「等」、「または」の使用は、特に示さない限り、限定を有しない非排他的な代替案を示す。「含む」または「有する」の使用は、特に示さない限り、それぞれ「含むが、それに限定しない」及び「有するが、それに限定しない」を意味する。
【０１０５】
「上側」、「上において」、「底」、「底において」、「横」、「横において」、「横方向」、「横方向に」、「縦方向」、「縦方向に」、「前」、「前に」、「後ろ」、「後ろに」等の用語の使用は、動作状態または使用状態において、本発明に係るビデオカメラアセンブリのベルトのテンショニングのための装置及びビデオカメラアセンブリが、通常取る空間的配置を示す。本発明に係るビデオカメラアセンブリが動作状態において取り得る空間的配置は、図１及び図２において、例示によって示されている。本発明に係るビデオカメラアセンブリのベルトのテンショニングのための装置が動作状態において取り得る空間的配置は、図３から図６において、例示によって示されている。
【０１０６】
図１及び図２は、本発明の実施の形態に係るビデオカメラアセンブリ１の図である。ビデオカメラアセンブリ１は、箱状本体２及びビデオカメラハウジング本体３を有する。ビデオカメラハウジング本体３は、箱状本体２に回転可能に係合される。
【０１０７】
図１及び図２に示すように、箱状本体２は、主方向Ｄに沿って延びる引き延ばし形状を有する部分４を有する。ビデオカメラアセンブリ１の動作状態において、引き延ばし形状を有する部分４ａは、棒等の支持構造にビデオカメラアセンブリ１を接続または制限するように使用されてもよい箱状本体２のベース４ｂの部分に係合される。ビデオカメラアセンブリ１の動作状態の例示は、環境のビデオ監視の分野におけるビデオカメラアセンブリ１の使用を含む。
【０１０８】
箱状本体２は、引き延ばし形状を有する部分４ａの端部においてキャビティを規定する部分５を有する。図２に示すように、キャビティを規定する部分５は、引き延ばし形状を有する部分４ａの上端部において延びてもよい。
【０１０９】
キャビティを規定する部分５は、望ましくは、凸部を規定する実質的に球状−キャップ（cap）形状を有する。キャビティを規定する部分５は、球状−キャップ形状に代わって、例えば、平行六面体形状、円錐または錐台形状等の他の回転の中実体の形状、またはその内部にキャビティを規定するように適合される他のいずれかの形状を、望ましくは凹部を有してもよい。
【０１１０】
本説明の文脈における回転の中実体は、回転の対称性を有する中実体を意味する。
【０１１１】
（添付の図面に図示していないが）回転軸を規定する方向に沿って延びるシャフトは、部分５に規定されるキャビティにおいて収容されてもよい。シャフトは、箱状本体２及び部分５に対してビデオカメラハウジング本体３が回転するように構成される。ビデオカメラハウジング本体３はシャフトと回転において統合される。
【０１１２】
ベアリング、プーリ等、ビデオカメラハウジング本体３の回転を可能にするように構成されるさらなる部材は、部分５において収容されてもよい。
【０１１３】
図２に示すように、箱状本体２は、キャビティを規定する部分５が延びる引き延ばし形状を有する部分４と同一の端部において、ガイド部分６を有する。ガイド部分６は、ビデオカメラハウジング本体３を収容するように構成される。
【０１１４】
ガイド部分６は、ビデオカメラハウジング本体３を収容し、箱状本体２に対して、ビデオカメラハウジング本体３の回転を可能にするように適合される形状を有する。
【０１１５】
望ましくは、ガイド部分６は、ビデオカメラハウジング本体３に対して少なくとも部分的に補完的は形状を有する。有利なことに、ガイド部分６のこのような形状は、箱状本体２に対してビデオカメラハウジング本体３の回転を可能にする。ガイド部分６は、凹部を規定する少なくとも部分的に球状な形状を有してもよい。例えば、円柱または錐台形状、または箱状本体２に対してビデオカメラハウジング本体３の回転を可能にするように適合される類似の回転の中実体等のガイド部分６の他の凹部形状が可能であると理解されよう。
【０１１６】
ビデオカメラハウジング本体３は、望ましくは、ガイド部分６との接触なく、ガイド部分６に収容される。ビデオカメラハウジング本体３とガイド部分６との間の接触の不在は、有利なことに、箱状本体２に対してビデオカメラハウジング本体３の自由な回転を可能にする。
【０１１７】
ガイド部分６を参照して、上述に同様に、ビデオカメラハウジング本体３は、望ましくは、ガイド部分６に対して少なくとも部分的に補完的な形状を有する。有利なことに、ビデオカメラハウジング本体３のこのような形状は、箱状本体２に対してその回転を可能にする。ビデオカメラハウジング本体３は、望ましくは、ガイド部分６に規定される凹部において接触なく収容されることが意図される凸部を規定する少なくとも部分的に球状な形状を有する。ビデオカメラハウジング本体３は、望ましくは、実質的に球状−キャップ形状を有する。例えば、円錐または錐台形状、または箱状本体２に対してビデオカメラハウジング本体３の回転を可能にするように適合される類似の回転の中実体の形状等のビデオカメラハウジング本体３の他の凸部形状が可能であってもよい、と理解されよう。
【０１１８】
図２に概略的に示されているように、ビデオカメラアセンブリ１は、（添付の図面に概略的に示される）ビデオカメラ７及び、縦軸に沿ってビデオカメラ７の回転（パン（pan）移動）と、横軸に沿ってビデオカメラの回転（傾斜移動）を可能にするように構成されるスイベルシステム８をさらに有する。ビデオカメラアセンブリ１の動作状態においてビデオカメラ７が周りで回転し得る縦軸は、引き延ばし形状を有する部分４ａの主要延在方向Ｄに対して実質的に平行である。ビデオカメラ７はビデオカメラハウジング本体３において配置され、スイベルシステム８は箱状本体２に少なくとも部分的に配置される。望ましくは、スイベルシステム８の主要部分は、箱状本体２に収容され、ある部分はビデオカメラハウジング本体３に向かって突出する。
【０１１９】
ビデオカメラアセンブリ１は、プーリ９、モータ１０、及びベルト１１をさらに有する。モータ１０、プーリ９、及びベルト１１は、引き延ばし形状を有する部分４ａに収容される。モータ１０は、例えば、電気モータであってもよい。プーリ９は、モータ１０に係合される。動作状態において、モータ１０は、プーリ９に回転移動を伝達する（直接トランスミッション）。ベルト１１は、支持要素（図示せず、例えば、棒）に固定されるように適合される箱状本体２のベース部分４ｂに対して主要延在方向Ｄ（パン回転）の周りで、ビデオカメラアセンブリ１の引き延ばし形状を有する部分４ａが回転するように、さらなるプーリ（図示せず）に回転移動を伝達するように構成される。加えて、モータ１０は、箱状本体２及び部分５に対してビデオカメラハウジング本体３の回転（傾斜回転）を可能にするために使用されてもよく、ベルト１１に係合されてもよい便利な駆動システム（図面において詳細に示されていない）を用いて動作を伝達する。
【０１２０】
ビデオカメラアセンブリ１は、シャフトの端部のハウジング部分２６をさらに有する。シャフトの端部のハウジング部分２６は、シャフトの端部を収容するボールベアリング（添付の図面に図示せず）をさらに有する。シャフトの端部のハウジング部分２６は、シャフトの端部が著しく曲がることを抑制するようにシャフトの端部を、ボールベアリングによって、回転可能に収容するように構成される。シャフトの端部のハウジング部分２６は、シャフト自体に対するベルトのスラストによって、シャフトが疲労現象の対象となることを抑制することを意図する。図３から図６に示すように、シャフトの端部のハウジング部分２６は、縦方向に配置され、モータ１０の下に配置される。
【０１２１】
ベルト１１は、ある圧力においてプーリ９と係合する。プーリ９に対するベルト１１の便利な圧力は、回転動作の最適な伝達を特定し、ベルト１１とプーリ９との間の望ましくない滑りを回避する。ベルト１１がプーリ９と接触する圧力は、ベルト１１の張力によって特定される。
【０１２２】
ビデオカメラアセンブリ１は、例えば、ビデオカメラ７及びスイベルシステム８の配置を管理及び最適化する、及びモータ１０の動作を管理及び制御することにおいて、ビデオカメラアセンブリの動作を制御、管理及び最適化するために必要な電子部品を有してもよい。電子部品は、例えば、引き延ばし形状を有する部分４ａ等の箱状本体２に、及びビデオカメラハウジング本体３に部分的に収容されてもよい。
【０１２３】
ビデオカメラアセンブリ１は、ビデオ監視システムにおいて動作できるように、必要な便利はケーブルを有するまたは無線の接続を有してもよい。
【０１２４】
本発明によると、アセンブリ１は、ベルト１１のテンショニングのための装置１２をさらに設ける。ベルトのテンショニングのための装置１２は、望ましくは、箱状本体２に配置される。添付の図面に示す実施の形態において、装置１２は、引き延ばし形状を有する部分４ａにおいて箱状本体２に収容される（図２参照）。
【０１２５】
フレーム１３も設けられ、ビデオカメラアセンブリ１または装置１２自体の一部として考慮されてもよい。添付の図面に示す実施の形態において、フレーム１３は、上側壁１３ａ、互いに対向するように突出する２つの実質的に平行な側壁１３ｂ、及び下側壁１３ｃを有する。
【０１２６】
フレーム１３は、フレーム１３に対する装置１２の要素の移動、特に並進移動、を可能にするように構成される少なくとも１つのガイド１４、１５を有する。下記においてより詳細に示すように、フレーム１３に対する装置１２の要素の並進移動は、ベルト１１のテンショニングを特定する。図５は、上側壁１３ａにおいて配置される３つのガイド１４、１５を有するフレーム１３を図示する。しかしながら、いずれかの数のガイド１４、１５があってもよく、ガイド１４、１５は、フレーム１３のいずれかの壁１３ａ、１３ｂ、１３ｃ、例えば、下側壁１３ｃ、側壁１３ｂ、前面壁、背面壁等において配置されてもよい、と理解されよう。
【０１２７】
フレーム１３は、少なくとも１つのシート１６を有してもよい。添付の図面に示す実施の形態において、フレーム１３の同一側壁１３ｂにおいて形成される２つの隣接貫通孔１６は、シートとして設けられる。しかしながら、いずれかの数のシート１６があってもよく、シート１６は、フレーム１３のいずれかの壁１３ａ、１３ｂ、１３ｃ、例えば、下側壁１３ｃ、側壁１３ｂ、前面壁、背面壁等において配置されてもよい、と理解されよう。貫通孔１６は望ましくはスレッドされている（threaded）。
【０１２８】
ベルト１１のテンショニングのための装置１２は、ベルトテンショナターミナル１７を有し、接触面において、ベルト１１と接触して動作する。ビデオカメラアセンブリ１の組立状態において、ベルトテンショナターミナル１７の接触面は、ベルト１１を締めるように、ベルト１１にある圧力を負荷する。ベルトテンショナターミナル１７は、ベアリング等の回転支持要素１７を有してよい。回転支持要素１７’は、ピン１８の周りで回転するように構成され、望ましくは転がりタイプ（転がりベアリング）である。添付の図面に示す実施の形態において、ベルトテンショナターミナルは、一対のボールベアリング１７’を有する。代替の実施の形態におけるベルトテンショナターミナル１７は、例えば、アイドラプーリ、またはアイドル（idle）シャフト、またはローラ、またはローラベアリング、またはホイール等の他の要素を有してもよい、と理解されよう。
【０１２９】
装置１２は、スラスト要素１９をさらに有する。スラスト要素１９は、ベルト１１に対して、ベルトテンショナターミナル１７をスラストするようにベルトテンショナターミナル１７上で動作する。下記でより詳細に示すように、スラスト要素１９は、ベルト１１に対して、ベルトテンショナターミナル１７の調節可能な配置を特定する。これは、ベルト１１に加わる張力の変調を可能にする。スラスト要素１９は、調節可能なスラストで、ベルトに対して、ベルトテンショナターミナル１７をスラストしてもよい。スラストは、スラスト要素１９の長さに基づいて調節可能である。ベルト１１の張力調節ステップにおいて、スラスト要素１９は、ベルトテンショナターミナル１７の移動を特定する。スラスト要素１９は、望ましい方法でベルト１１をきつく締めるために必要な距離によって、ベルト１１の張力調節ステップにおいて、ベルトテンショナターミナル１７をスラストするように、ベルトテンショナターミナル１７上で動作するように構成される。装置１２は、スラスト要素１９をガイドするように、ガイド要素２７（図３参照）を有する。ガイド要素２７は、ガイド要素２７に係合されるスラスト要素１９をガイドするように構成される。ガイド要素２７は、望ましくは、引き延ばした形状を有し、主要な延在方向に沿って延びる。添付の図面に示す実施の形態は、スラスト要素１９が係合されているペグ（peg）２７の形状を有するガイド要素を図示する。代替的なガイド要素２７が、ピンに対して設けられ、スラスト要素１９をガイドするように適合されてもよい、と理解されよう。スラスト要素１９は、望ましくは、弾性タイプである。本説明の内容の範囲において、弾性スラスト要素１９は、負荷される応力に対して弾性的に反応することができるスラスト要素１９を意味する。弾性スラスト要素１９は、望ましくは、弾性的に変形可能である。添付の図面に示す実施の形態は、バネ１９の形状を有するスラスト要素を図示する。ペグ２７は、バネ１９のコイル内に配置される。例えば、調節可能及び／または弾性的な方法で便利に開放され得るグリッパ（gripper）またはクリップ、または弾性スペーサまたは弾性変形可能な材料等の、バネに対して代替的なスラスト要素１９が設けられてもよい、と理解されよう。
【０１３０】
装置１２は、スラスト要素１９を収容する本体２０をさらに有する。添付の図面に示すように、本体２０は、スラスト要素１９を収容するように、少なくとも部分的に中空であってもよい。図３から図６に示すように、本体は、ブラケット２０の形状を有してもよい。添付の図面に示されていない代替的な実施の形態において、本体２０は、スラスト要素１９を少なくとも部分的に収容するように適合され、ブラケットとは異なるいずれかの形状を有してもよい。本体２０は、フレーム１３に対して、望ましくは並進移動において移動するように構成される。フレーム１３に対して並進移動において移動してもよい本体２０が、添付の図面に示される。本体２０は、滑り部分２０ａをさらに有し、滑りは、フレーム１３自体によってガイドされる。図５に示すように、本体２０の滑り部分２０ａは、フレーム１３の上側壁１３ａに適切に設けられたガイド１４に沿ってフレーム１３に対して並進移動してもよい。本体２０の滑り部分２０ａのためのガイド１４は、ベルト１１に近位なまたは遠位な並進移動において、本体２０を適切に方向付けることを可能にする。
【０１３１】
少なくとも１つの制限要素２１は、フレーム１３に対して本体２０の移動を選択的に可能にするまたは抑制するために設けられている。制限要素２１は、それぞれの適切に設けられるガイド１５に少なくとも部分的に収容され、本体２０に係合される。添付の図面に示すように、制限要素２１は、本体２０の上側部分において本体２０に係合される。制限要素２１は、フレーム１３に対する本体２０、よってその内部に収容されるスラスト要素１９の移動を制限しない休憩状態と、フレーム１３に対する本体１０、よってその内部に収容されるスラスト要素１９の移動を制限する制限状態との間で動作するように構成される。図３及び図４は、制限要素２１の休憩状態を図示し、本体２０の移動が可能である。本体２０の移動が可能であると、このような休憩状態において、ベルト１１に対するベルトテンショナターミナル１７の移動も可能である。したがって、ベルト１１上のベルトテンショナターミナル１７のスラストは、制限要素２１の休憩状態において調節されてもよい。図５及び図６は、制限要素２１の制限状態を図示し、本体２０及びよってスラスト要素１９は、フレーム１３に対して、ある位置において制限される。本体２０の位置が、このような制限状態において制限されると、ベルト１１に対するベルトテンショナターミナル１７の位置も制限される。したがって、ベルト１１上のベルトテンショナターミナル１７のスラストは、ベルト１１の軽度の緩みに続いて、スラスト要素１９の弾性力によって、自動的に発生し得る、スラスト要素１９の弾性スラストによって発生する自動的な調節を除き、制限要素２１の制限状態において調節できない。制限要素２１は、制限状態において、本体２０とフレーム１３と統合的である。制限要素２１は、スレッドタイプであってもよい。添付の図面に示す実施の形態において、２つの制限要素が示され、各要素は、それぞれのガイド１５に少なくとも部分的に収容される。制限要素２１のためのガイド１５は、ベルト１１に近位または遠位の並進移動において、滑りながらそれぞれの制限要素２１に収容され、それぞれの制限要素２１を便利に方向付けることを可能にする。添付の図面に示す実施の形態は、２つのネジ２１（特に図５参照）の形態を有する２つの制限要素を示す。ネジに対して、代替的な制限要素２１が、さらなる実施の形態において設けられてもよい、と理解されよう。
【０１３２】
装置１２は、ベルトテンショナターミナル１７と本体２０とを接続する中間部分２２をさらに有する。中間部分２２は、少なくとも部分的に中空であり、少なくとも部分的にベルトテンショナターミナル１７を収容する。添付の図面に示すように、ベルトテンショナターミナル１７は、中間部分２２において収容され、よって、ベルトテンショナ装置１２の組立状態において、ベルト１１の近くにある場合、ベルト１１に対向するベルトテンショナターミナル１７の端部１７ａは中間部分２２に対して突出する。ベルトテンショナターミナル１７の端部１７ａが中間部分２２に対して突出するように設けることは、ベルトテンショナターミナル１７が、ベルト１１自体のテンショニングのためにベルト１１と接触することを可能にする。上述のベルトテンショナターミナル１７の接触面は、望ましくは、ベルトテンショナターミナル１７とベルト１１とが接触できるように、ベルトテンショナターミナル１７の端部１７ａにおいて規定される。本体２０と中間部分２２は、制限要路２１の休憩状態におけるフレーム１３に対して並進移動してもよい。本体２０はフレーム１３と統合され、本体２２は、制限要素２１の制限状態において、ベルトテンショナターミナル１７上にスラスト要素１９によってスラストが負荷される後、フレーム１３に対して並進移動してもよい。中間部分は「Ｃ」または「Ｕ」形状であってもよい。添付の図面に示される実施の形態は、ブラケット２２の形状を有し、一対のボールベアリング１７を収容し、ブラケット２２に係合されるピン１８によって支持する中間部分を示す。ある変形例では、中間部分２２は、ベルトテンショナターミナル１７を収容することを意図するキャビティを形成するように適合されるブラケットに対して代替的な形状を有してもよい。
【０１３３】
装置１２は、調節部分２３をさらに有する。添付の図面に示すように、調節部分は滑るように本体２０に係合されてもよい。調節部分２３は、スラスト要素１９に動作的に関連される。調節部分２３は、スラスト要素１９の動作において、本体２０に対して小さい動きをしてもよい。特に、調節部分２３は、制限要素２１の動作状態においてスラスト要素１９の部分的弾性スプリングバックによってベルト１１から離れるように並進移動してもよい。部分的な弾性スプリングバックは、限定された弾性スプリングバックを意味する。なぜなら、本明細書において説明される装置１２の要素に対するスラスト要素１９の係合方法と、ベルト１１をきつく締めるためのある弾性力を用いてベルトテンショナターミナル１７上にスラストする必要性とによって、スラスト要素１９は完全な弾性スプリングバックを実施することができない。調節部分２３は、望ましくは、ガイド要素２７と統合され、さらに望ましくは、調節部分はガイド要素２７に対応する。添付の図面に示す実施の形態において、調節部分２３は、中間部分２２に圧着（pressure fastened）され、スラスト要素１９と本体２０とを滑りながらスレッド（threads）するネジスタッド（stud）の形態として示される。さらに、本体２０から調節部分２３とベルトテンショナターミナル１７とが完全に除去されることをスラスト要素１９がもたらすことを防止するように構成される自己ロック（self-locking）ナットは、中間部分２２の反対側に、ネジスタッドの自由端においてネジ締めされる。ネジスタッドと自己ロックナットとのアセンブリに対して、代替的な調節部分２３が設けられてもよい、と理解されよう。例えば、調節部分２３は、中間部分２２に締められるネジを有してもよい。ネジの端部は、本体２０から調節部分２３とベルトテンショナターミナル１７とが完全に除去されることをスラスト要素１９がもたらすことを防止するように構成されるヘッドが設けられる。
【０１３４】
装置１２は、装置１２の動作状態において、ベルト１１の張力を調節するように、調節部分２３に対して、除去可能な方法で係合されてもよい調節要素２４をさらに有する。調節要素２４は、スラスト要素１９上に動作するように構成され、よって、スラスト要素１９がベルトテンショナターミナル１７に負荷するスラスト強度を調節し、ベルト１１に対して装置１２の全体の位置を調節する。図４及び図５に示すように、調節要素２４は、ベルト１１のテンショニングの間において貫通ガイドシート１６ａにおいて、フレーム１３に係合される。調節要素２４は、ベルト１１のテンショニングのための調節要素２４上に、例えば、スクリュードライバ等の工具によって、動作可能な動作部分２４ａを有してもよい。動作的部分２４ａは、貫通シート１６ａの自由通過面積より、断面において、大きい全体寸法を有してもよく、よって、シート１６ａにおいて調節要素２４の最大挿入の状態において、シート１６ａが形成される側壁１３ｂと接触する（図５参照）。調節要素２４は、動作的部分２４ａに接続され、調節部分２３と接触するように構成されるステム２４ｂをさらに有してもよい（図４及び図５参照）。添付の図面に示す実施の形態において、ヘッド２４ａと、ヘッド２４ａに接続されるステム２４ｂとが設けられる調節ネジ２４は、調節要素として設けられる。しかしながら、ネジとは異なる調節要素２４が、代替的な実施の形態において設けられてもよい、と理解されよう。
【０１３５】
下記は、添付の図面に図示される実施の形態に示される装置１２の動作の簡単な説明であり、本明細書の続きにおいて詳細に説明されるビデオカメラアセンブリ１のベルト１１のテンショニングのための方法を考慮してより明確になる。調節要素２４は、装置１２の動作状態において、即ち、ベルト１１の張力の調節の状態において、ベルト１１の張力を調節する（例えば、図４参照）ように調節部分２３において動作する。それは、調節要素２４の動作状態において、フレーム１３の側壁１３ｂに形成されるガイドシート１６ａにおいて収容される。添付の図面において図示される実施の形態において、シートは、貫通孔１６ａとして示される。ガイドシート１６ａは、調節部分２３に対して前面的に配置され、調節部分２３と実質的に同軸上にある。シート１６ａは、調節部分２３に向かって方向付けるように調節要素２４と協働し、調節要素２４のステム２４ｂのための支持として実質的に機能する。ベルト１１の張力を調節する初期ステップにおいて、制限要素２１は、休憩状態にあり、したがって、フレーム１３に対して本体２０の並進移動を制限しない（図３参照）。調節要素２４は、調節部分２３上に動作し、ベルト１１の方向において、その並進移動を特定する。当業者にとって明確であるように、調節部分２３の並進移動は、ベルト１１に向かって装置１２の全体の移動を含む。調節部分の並進移動は、ベルト１１に向かって調節部分２３に対して調節要素２４をスラストすることによって実施される。調節部分２３の並進移動は、本体２０、中間部分、ベルトテンショナターミナル、よってその内部に収容されるスラスト要素１９の並進移動を特定する。本体２０の並進移動は、滑り部分２０ａを滑りながら収容するガイド１４によってガイドされ、中間部分２２、よってその内部に収容されるベルトテンショナターミナル１７の並進移動を特定する。ベルトテンショナターミナル１７は、ベルト１１の近くに並進移動し、接触面においてベルト１１と接触し、ベルト１１をきつく締める。制限要素２１は、本体２０と統合的に並進移動し、休憩状態にあると、それぞれのガイド１５において滑る。スラスト要素１９は、調節要素２４の動作状態において、圧縮されない。
【０１３６】
本質において、制限要素２１の休憩状態において、調節部分２３、本体２０（したがって、その中に収容されるスラスト要素１９）、中間部分２２（したがって、ベルトテンショナターミナル１７）は、実質的に、フレーム１３に対して並進移動によって与えられる単一の自由度を有する。添付の図面において図示されるように、制限要素２１の休憩状態において許可される並進移動は、調節要素２４の動作方向に沿って実施される。このような動作方向は制限要素２１の延在方向に直交してもよく、調節部分２３の主要延在方向と実質的に一致してもよい。当業者にとって明確であるように、最大並進移動は、調節要素のステム２４ｂの長さによって規定される。有利なことに、ステム２４ｂの長さは、ベルト１１の最適な性能を保証する値の望ましい範囲において、ベルトのテンショニング力を負荷することによって特定されてもよい。
【０１３７】
（添付の図面において図示されない）他の実施の形態は、装置１２の要素の動作的及び延在方向の相互に対する代替的な配置を設けてもよい。
【０１３８】
調節要素２４の動作及びよって前述の装置１２の要素の並進移動は、実質的にベルト１１の望ましい張力に対応し（逆も）、後述のスラスト要素１９の部分的な弾性スプリングバックより少なく、フレーム１３に対してベルトテンショナターミナル１７の望ましい位置が達成されると、中断される。スラスト要素１９の部分的な弾性スプリングバックは、望ましい方法においてベルト１１に締めることができるベルトテンショナターミナル１７の最適な配置を特定する。この点において、本体２０の配置は、制限要素２１に対する動作によってフレーム１３に対して制限される。本体２０の並進移動を抑制するように、制限要素２１は締められる。添付の図面において示す実施の形態においては、ネジが制限要素２１として設けられ、ネジ２１が締められ、その位置をフレーム１３に対して制限し、休憩状態から制限状態へネジの並進移動を規制する。
【０１３９】
この時点において、調節要素２４は、調節部分２３から脱離する。調節要素２４は、したがって、さらなる収容シート１６ｂ（図５参照）において戻されてもよい。添付の図面において示す実施の形態において図示するように、このようなシートは、貫通孔１６ｂが設けられてもよい。図６は、フレーム１３の側壁１３ｂにおいて形成される貫通孔１６ｂにおいてベルト１１の張力を調節するようにその使用の後に収容される調節要素２４を示す。貫通孔１６ｂは、望ましくはスレッドされている。添付の図面において示されていない他の実施の形態において、入口開口を有するシート、入口開口及び底を接続する底と側壁等、貫通孔に対する代替的な収容シート１６ｂが設けられてもよい、と理解されよう。このような実施の形態において（添付の図面に示されていない）底は、調節要素２４のステム２４ｂの隣接限界位置を構成し、ステム２４ｂは、入口開口におけるシートに挿入され、側壁の形状によってシート１６ｂへ挿入においてガイドされる。
【０１４０】
スラスト要素１９は、調節要素２４がスラスト要素１９から動作的に断絶されるときのみ、動作を開始し、即ち、ベルト１１に対してベルトテンショナターミナル１７の位置を調節するようにその弾性スラストを負荷する。スラスト要素１９は、したがって、調節要素２４がスラスト要素１９から動作的に断絶される状態において弾性的に変形されるように構成される。調節要素２４の脱離において、スラスト要素１９は、本体２０から離れる調節部分２３の制限された並進移動を特定する（ベルト１１上のベルトテンショナターミナル１７の動作に続く）ベルト１１とベルトテンショナターミナル１７との反応による部分的弾性スプリングバックを受ける。言い換えると、当業者にとって明確であるように、ベルト１１は、スラスト要素１９を圧縮できるベルトテンショナターミナル１７上で反応を負荷し、調節部分２３の上に取り付けた自己ロックナットと調節要素２３との自由端が、本体２０に対して離れるように移動することをもたらす。このような並進移動は、調節部分２３、特にその自由端と本体２０との間の隙間２５の形成を特定する。隙間２５は、ｍｍのオーダーであってもよく、ベルトテンショナターミナル１７によって装置１２に、動作状態において、ベルト１１が伝送する振動、応力、またはひずみに対処するように適合される本体２０に対して、調節部分２３の制限される振動を可能にする。例えば、隙間２５は、調節部分２３と弾性スラスト要素１９との振動によって、このような振動、応力及びひずみを吸収、減衰または拡散させるように、振動、応力またはひずみに対処するように適合されてもよい。隙間２５は、動作の間に発生し得る緩み、即ち張力の損失に対して自動的に補填することによって、ベルト１１の張力を実質的に一定に維持することを可能にする。これは、隙間２５がベルトテンショナターミナル１７上のスラスト要素１９のスラストの自動調節を特定するように適合されるクリアランスを設け、したがって、ベルト１１の張力を実質的に一定に維持することを可能にするため、可能である。考慮される例示において、隙間２５は、スラスト要素１９（即ち、拡大バネ）が、ベルト１１の緩みに対して比例して拡大することを可能にする。図６に示すように、隙間２５は調節部分２３の自由端と本体２０の壁との間に規定されてもよい。特に、隙間２５は、望ましくは、調節部分２３の終端要素（ヘッド）と本体２０との実質的に平行なそれぞれ対向する表面の間に規定される。
【０１４１】
上述のタイプのビデオカメラアセンブリ１のベルトのテンショニングのための装置１２は、例えば、ビデオカメラアセンブリ１の組立ステップにおいて、ベルト１１の第１テンショニングを実施するために使用されてもよく、または、例えば、ベルト１１の第１テンショニングに続いて、即ち制限要素２１の第１締めに続いて、ベルト１１の張力を調節するために使用されてもよい。ベルト１１の張力の調節は、例えば、ベルト１１の発生し得る緩みに対処するように、ビデオカメラアセンブリ１の使用の後に必要となってもよい。
【０１４２】
本発明は、ビデオカメラアセンブリ１のベルト１１のテンショニング方法に関してもよい。
【０１４３】
ビデオカメラアセンブリ１のベルト１１のテンショニング方法は、ビデオカメラアセンブリ１のベルト１１を設けることを想定する。方法は、ベルト１１に対してベルトテンショナターミナル１７を、スラスト要素１９によって、スラストすることをさらに設ける。スラストステップは、望ましくは、添付の図面に示すバネ１９のような弾性タイプのスラスト要素によって実施される。前述のように、代替的な弾性スラスト要素１９は、バネに対して使用されてもよい。スラストステップは、ベルト１１のテンショニングを可能にする。
【０１４４】
方法は、ベルトテンショナターミナル１７がベルト１１に負荷するスラスト強度を調節することを設ける。スラスト強度調節ステップは、調節部分２３を通じてスラスト要素１９に動作的に接続される調節要素２４を使用する。スラスト要素に動作的に接続される調節要素２４によるベルト１１のスラスト調節ステップは、互いに実質的に統合的に並進移動するスラスト要素１９とベルトテンショナターミナル１７の移動とを収容する本体２０の移動を特定する。本体２０の移動は、上述の方法によって実施されてもよく、中間部分２２の実質的に統合的な移動を特定する。ベルト１１のスラスト調節ステップは、調節要素２４によって、ベルトテンショナターミナル１７の位置を変調することによって、ベルト１１の望ましい張力を特定することを設ける。上述のように、ベルト１１のスラスト調節ステップは、調節部分２３において調節要素２４と動作することによって実施される。スラスト要素１９は、調節要素２４の動作状態において圧縮されない。
【０１４５】
方法は、望ましい位置において、ベルトテンショナターミナル１７を制限するように構成される。ベルトテンショナターミナル１７の望ましい位置は、例えば、フレーム１３に対して規定され、スラスト要素１９の部分的弾性スプリングバックより小さいベルト１１の望ましい張力に実質的に対応する（その逆も同様）。スラスト要素１９の部分的弾性スプリングバックは、したがって、望ましい方法においてベルト１１をきつく締めることができるベルトテンショナターミナル１７の最適位置を特定する。本質において、ベルトテンショナターミナル１７の望案しい位置は、ベルト１１の望ましい張力に対応する（その逆も同様）。望ましい位置におけるベルトテンショナターミナル１７の制限は、制限要素２１によって実施されてもよい。制限要素２１は上述のタイプであってもよい。休憩状態から制限状態への制限要素２１の遷移は、上述のように制限要素２１を締めることによって実施されてもよい。望ましい位置においてベルトテンショナターミナル１７を制限するステップは、ベルト１１の望ましい張力を特定した後に実施される。望ましい位置においてベルトテンショナターミナル１７を制限するステップは、方法として以下で説明され、上述のように動作状態においてベルト１１の調節部分２３の制限（contained）される移動を特定するスラスト要素１９の部分的弾性スプリングバックを除き、制限要素２１によってフレーム１３に対して本体２０を制限し、したがって、フレーム１３に対してスラスト要素１９の位置を制限する。
【０１４６】
上述の制限ステップに続き、方法は、スラスト要素１９から調節要素２４を動作的に断絶させることを設けるステップをさらに有する。このようなステップは、調節部分２３から調節要素２４を脱離させることを設ける。調節部分２３から調節要素２４を脱離させることによって、スラスト要素１９は、動作的に機能し、即ち、弾性スラストを負荷し、ベルト１１の望ましい張力に対応するベルト１１に対するベルトテンショナターミナル１７の位置を調節する。スラスト要素１９は、弾性的に変形されることによって機能を開始する。調節部分２３からの調節要素２４の脱離は、調節部分２３と、スラスト要素１９を収容する本体２０との間の隙間２５の形成を特定する。隙間２５は、本体２０及びベルト１１から調節部分２３の制限される（contained）移動を特定するように、スラスト要素１１の部分的弾性スプリングバックによって形成される。上述のように、ｍｍのオーダーであってもよい隙間２５は、ベルト１１の動作状態において、ベルトテンショナターミナル１７によって、ベルト１１が装置１２に伝達する振動、応力、またはひずみに対処するように適合される本体２０に対して、調節部分２３の制限される振動を可能にする。隙間２５は、例えば、調節部分２３と弾性スラスト要素１９との振動によって、振動、応力、及びひずみを吸収、減衰、または拡散させることによって、振動、応力、またはひずみに対処するように適合されてもよい。上述のように、隙間２５は、ベルト１１の張力を実質的に一定に維持することを可能にする。図６に示すように、隙間２５は、調節部分２３と本体２０の壁との間で規定されてもよい。特に、隙間２５は、調節部分２３と本体２０との、望ましくは、それぞれの対向する実質的に平行な面の間で規定されてもよい。
【０１４７】
方法は、上述のタイプのビデオカメラアセンブリ１のベルト１１をテンショニングするための装置１２を使用することによって実施されてもよく、したがって、ベルト１１を設けることに加えて、上述のタイプのビデオカメラアセンブリ１のベルトをテンショニングするための装置１２を設けるステップを有してもよい。ある実施の形態において、ベルト１１を設けるステップは、少なくとも１つのベルト１１とビデオカメラアセンブリ１のベルト１１のテンショニングのための装置１２とを有する上述のタイプのビデオカメラアセンブリ１を準備することを有してもよい。
【０１４８】
方法は、例えば、ビデオカメラアセンブリ１の組立ステップにおいて、ベルト１１の第１テンショニングを実施するために実施されてもよく、または、例えば、ベルト１１の第１テンショニングに続いて、即ち制限要路２１の第１締めに続いて、ベルト１１の張力を調節するために実施されてもよい。ベルト１１の張力の調節は、例えば、ベルト１１において生じ得る緩みに対処するように、ビデオカメラアセンブリ１の使用の後、必要となってもよい。
【０１４９】
ベルト１１の第１テンショニングを実施するために方法が実施されると、ベルト１１のテンショニングのためのベルト１１に対するスラスト要素１９によるベルトテンショナターミナル１７のスラストのステップの前に、ベルト１１に接触するようにベルトテンショナターミナル１７を配置することを設けるステップが実施される。ベルトテンショナターミナル１７とベルト１１との間の接触は、ベルトテンショナターミナル１７の接触面において実現されてもよい。
【０１５０】
ベルト１１の張力を調節するように方法が実施されると、方法は、ベルト１１の張力の調節を可能にするためのベルトテンショナターミナル１７を開放するステップを設ける。このようなステップは、ベルト１１を設けるステップの後、及びベルト１１に対して、スラスト要素１９によって、ベルトテンショナターミナル１７をスラストすることを設けるステップの前に、設けられてもよい。
【０１５１】
結論として、特定の実施の要求によって、後続の請求項の保護の範囲から逸脱することなく、いずれかの材料及びいずれかの偶発的形状及び大きさが使用されてもよい。
【図１】
2022501552.tif 000003
【図２】
2022501552.tif 000004
【図３】
2022501552.tif 000005
【図４】
2022501552.tif 000006
【図５】
2022501552.tif 000007
【図６】
2022501552.tif 000008
【国際調査報告】
2022501552.tif 000009
2022501552.tif 000010